(57)【要約】  本発明の実施の形態は、受信器セット、送信器セットおよびアンテナアレイを含み、受信器セットは複数の受信器を含み、送信器セットは複数の送信器を含み、アンテナアレイは第１のアンテナユニットセットおよび第２のアンテナユニットセットを含み、第１のアンテナユニットセットは少なくとも１つの第１のターゲットアンテナユニットを含み、第２のアンテナユニットセットは少なくとも１つの第２のターゲットアンテナユニットを含み、少なくとも１つの第１のターゲットアンテナユニットのいずれか１つが受信器セット中のどの受信器にも接続され、少なくとも１つの第２のターゲットアンテナユニットのいずれか１つが送信器セット中のどの送信器にも接続される、アンテナシステムを開示する。このようにして、受信器と送信器とは互いから完全に分離され、これにより、受信器と送信器との分離を強め、アンテナシステムの相互変調指標を効果的に改善する。
2020503779.tif 000002
【特許請求の範囲】
【請求項１】
受信器セットと、送信器セットと、アンテナアレイとを備えるアンテナシステムであって、前記受信器セットは複数の受信器を備えており、前記送信器セットは複数の送信器を備えており、
前記アンテナアレイは第１のアンテナユニットセットおよび第２のアンテナユニットセットを備えており、前記第１のアンテナユニットセットは少なくとも１つの第１のターゲットアンテナユニットを備えており、前記第２のアンテナユニットセットは少なくとも１つの第２のターゲットアンテナユニットを備えており、前記少なくとも１つの第１のターゲットアンテナユニットのいずれか１つと前記少なくとも１つの第２のターゲットアンテナユニットのいずれか１つとは異なるアンテナユニットであり、前記少なくとも１つの第１のターゲットアンテナユニットのいずれか１つが前記受信器セット中のどの受信器にも接続され、前記少なくとも１つの第２のターゲットアンテナユニットのいずれか１つが前記送信器セット中のどの送信器にも接続される、アンテナシステム。
【請求項２】
前記第１のターゲットアンテナユニットセットが複数の第１のターゲットアンテナユニットを備える場合、前記複数の第１のターゲットアンテナユニットは前記アンテナアレイにおいて隣接配置され、
前記第２のターゲットアンテナユニットセットが複数の第２のターゲットアンテナユニットを備える場合、前記複数の第２のターゲットアンテナユニットは前記アンテナアレイにおいて隣接配置される、請求項１に記載のアンテナシステム。
【請求項３】
前記第１のターゲットアンテナユニットセットが複数の第１のターゲットアンテナユニットを備える場合、前記アンテナアレイにおいて前記複数の第１のターゲットアンテナユニットのうちの、どの隣接する２つの第１のターゲットアンテナユニットの間にも少なくとも１つの第２のターゲットアンテナユニットが配置される、請求項１に記載のアンテナシステム。
【請求項４】
前記アンテナシステムは少なくとも２つのターゲットデバイスセットをさらに備えており、前記少なくとも２つのターゲットデバイスセットのいずれか１つが受信器および送信器を備えており、
前記アンテナアレイは第３のアンテナユニットセットであって、前記第３のアンテナユニットセットは少なくとも１つの第３のターゲットアンテナユニットを備えており、前記少なくとも１つの第３のターゲットアンテナユニットのいずれか１つが第１のアンテナ要素および第２のアンテナ要素を備えている、第３のアンテナユニットセットをさらに備えており、
前記第１のアンテナ要素は前記少なくとも２つのターゲットデバイスセットのうちの１つに備えられる受信器と送信器との両方に接続され、前記第２のアンテナ要素は前記少なくとも２つのターゲットデバイスセットのうちの別の１つに備えられる受信器と送信器との両方に接続される、請求項１から３のいずれか一項に記載のアンテナシステム。
【請求項５】
前記第３のアンテナユニットセットは前記アンテナアレイにおいて前記第１のアンテナユニットセットと前記第２のアンテナユニットセットとの間に配置される、請求項４に記載のアンテナシステム。
【請求項６】
前記アンテナアレイは第４のアンテナユニットセットをさらに備えており、前記第４のアンテナユニットセットは少なくとも１つの第４のターゲットアンテナユニット備えており、前記少なくとも１つの第４のターゲットアンテナユニットのいずれか１つが第１のアンテナ要素および第２のアンテナ要素を備えており、
前記第１のアンテナ要素は前記受信器セット中のどの受信器にも接続され、前記第２のアンテナ要素は前記送信器セット中のどの送信器にも接続される、請求項１に記載のアンテナシステム。
【請求項７】
前記第１のアンテナ要素と前記第２のアンテナ要素とは異なる偏波に対応する、請求項６に記載のアンテナシステム。
【請求項８】
前記第１のアンテナ要素は＋４５度で偏波し、前記第２のアンテナ要素は−４５度で偏波する、請求項６または７に記載のアンテナシステム。
【請求項９】
前記第４のアンテナユニットセットが複数の第４のターゲットアンテナユニットを備える場合、前記複数の第４のターゲットアンテナユニットは前記アンテナアレイにおいて隣接配置される、請求項６から８のいずれか一項に記載のアンテナシステム。
【請求項１０】
前記第４のアンテナユニットセットが複数の第４のターゲットアンテナユニットを備える場合、前記アンテナアレイにおいて前記複数の第４のターゲットアンテナユニットのうちの、どの隣接する２つの第４のターゲットアンテナユニットの間にも少なくとも１つのターゲットアンテナユニットが配置され、前記ターゲットアンテナユニットは前記第１のターゲットアンテナユニットおよび／または前記第２のターゲットアンテナユニットである、請求項６から８のいずれか一項に記載のアンテナシステム。
【請求項１１】
複数の受信器と、複数の送信器と、アンテナアレイとを備えるアンテナシステムであって、前記アンテナアレイは少なくとも１つのアンテナユニットを備えており、前記少なくとも１つのアンテナユニットのいずれか１つが第１のアンテナ要素および第２のアンテナ要素を備えており、
前記第１のアンテナ要素は前記複数の受信器のいずれか１つに接続され、前記第２のアンテナ要素は前記複数の送信器のいずれか１つに接続される、アンテナシステム。
【請求項１２】
前記第１のアンテナ要素と前記第２のアンテナ要素とは異なる偏波に対応する、請求項１１に記載のアンテナシステム。
【請求項１３】
前記第１のアンテナ要素は＋４５度で偏波し、前記第２のアンテナ要素は−４５度で偏波する、請求項１１または１２に記載のアンテナシステム。
【発明の詳細な説明】
【技術分野】
【０００１】
本出願は、２０１６年１２月２９日に中国特許庁に提出され、「アンテナシステム」と題された中国特許出願第２０１６１１２４７６００．３号の優先権を主張し、当該中国特許出願の全体が参照によって本明細書に援用される。
【０００２】
本発明は通信技術の分野に関し、特にアンテナシステムに関する。
【背景技術】
【０００３】
無線通信技術の開発にともなって、システム容量を増大させるために、多入力多出力（Ｍｕｌｔｉｐｌｅ  Ｉｎｐｕｔ  Ｍｕｌｔｉｐｌｅ  Ｏｕｔｐｕｔ，ＭＩＭＯ）技術が提案され、マルチコラムアンテナ（ｍｕｌｔｉ−ｃｏｌｕｍｎ  ａｎｔｅｎｎａ）が必要とされている。ＭＩＭＯ技術によって空間分割多重化を通じて複数の空間的フローを伝送して通信システムの容量を増大させることができ、ＭＩＭＯ技術によって多様性を通じて通信システムの信頼性を改善することができる。アンテナの数量の増加にともなって、ＭＩＭＯ技術はかなりの容量を増大させるが、アンテナ設計における性能指標ＰＩＭ、消耗品、サイズ、重量、コストおよび歩留り率に対する大きな問題ももたらす。
【０００４】
既存の解決手段では、図１に示されているように、マルチコラムアンテナに対する要求を満たすために、アンテナアレイ１００は複数のアンテナユニット１０１を含み、アンテナユニット１０１は送受切り換え器１０２を用いて受信器１０３と送信器１０４との両方に接続される。
【０００５】
既存の解決手段が用いられる場合において、アンテナユニットの数量が増加するとき、アンテナユニット１０１の消耗品、サイズ、重量、コストなどが激増し、歩留り率が減少する。これに加えて、受信器１０３と送信器１０４との分離が十分ではなく、その結果、相互変調が起こり、高周波指標が減少したり使用されることさえ不可能であったりする。
【発明の概要】
【課題を解決するための手段】
【０００６】
本発明の実施の形態は、アンテナシステムの相互変調指標が改善されることが可能であるアンテナシステムを提供する。
【０００７】
本発明の実施の形態の第１の態様はアンテナシステムを提供する。
【０００８】
本実施の形態のアンテナシステムは以下の２つの方式で構成される。
【０００９】
方式１：
【００１０】
アンテナシステムはパッシブアンテナ構成になっており、アンテナシステムはＲＲＵ（英語による完全名称：Ｒａｄｉｏ  Ｒｅｍｏｔｅ  Ｕｎｉｔ）を含む。送信器および受信器はＲＲＵに配置され、ＲＲＵはケーブルを通じてアンテナアレイに接続されている。
【００１１】
本実施の形態のアンテナアレイは複数のアンテナユニットを含む。
【００１２】
特に、本実施の形態のアンテナシステムは以下の方式で通常は適用され、すなわち、この方式では、ＲＲＵが信号塔の下に配置され、アンテナアレイが信号塔の上に配置され、ＲＲＵがケーブルを通じてアンテナアレイに接続される。別の方式では、ＲＲＵは塔の上に配置され、ＲＲＵがアンテナアレイのごく近くにある。たとえば、ＲＲＵはアンテナアレイの下や後に配置され、ＲＲＵはケーブルを通じてアンテナアレイに接続される。
【００１３】
方式２：
【００１４】
アンテナシステムはアクティブアンテナ構成になっており、アンテナシステムの構成では、送信器、受信器およびアンテナアレイが集積的に配置されており、すなわち、送信器、受信器およびアンテナアレイはともに集積されてアクティブアンテナを構成する。
【００１５】
本実施の形態では、アンテナシステムは、受信器セットと、送信器セットと、アンテナアレイとを含み、受信器セットは複数の受信器を含み、送信器セットは複数の送信器を含み、
アンテナアレイは第１のアンテナユニットセットおよび第２のアンテナユニットセットを含み、
第１のアンテナユニットセットは少なくとも１つの第１のターゲットアンテナユニットを含み、第２のアンテナユニットセットは少なくとも１つの第２のターゲットアンテナユニットを含み、少なくとも１つの第１のターゲットアンテナユニットのいずれか１つと少なくとも１つの第２のターゲットアンテナユニットのいずれか１つとは異なるアンテナユニットであり、
少なくとも１つの第１のターゲットアンテナユニットのいずれか１つが受信器セット中のどの受信器にも接続され、少なくとも１つの第２のターゲットアンテナユニットのいずれか１つが送信器セット中のどの送信器にも接続される。
【００１６】
特に、本実施の形態では、第１のターゲットアンテナユニットは受信器セット中のどの受信器にも接続され、異なる第１のターゲットアンテナユニットは異なる受信器に接続される。
【００１７】
特に、本実施の形態の第１のターゲットアンテナユニットは送受切り換え器を用いて受信器に接続される。
【００１８】
本実施の形態では、第２のターゲットアンテナユニットは送信器セット中のどの送信器にも接続され、異なる第２のターゲットアンテナユニットは異なる送信器に接続される。
【００１９】
特に、本実施の形態の第２のターゲットアンテナユニットは送受切り換え器を用いて送信器に接続される。
【００２０】
本実施の形態のアンテナシステムの使用の有効な効果は以下の通りである。
【００２１】
本実施の形態のアンテナシステムでは、アンテナアレイが分割されることが可能であることで、分割を通じて得られる第１のアンテナユニットセットおよび第２のアンテナユニットセットは、互いから分離されるアンテナユニットである。はっきり述べれば、第１のアンテナユニットセットに含まれる第１のターゲットアンテナユニットは受信器のみに接続され、すなわち、第１のターゲットアンテナユニットと送信器との接続関係が一切なく、第２のアンテナユニットセットに含まれる第２のターゲットアンテナユニットは送信器のみに接続され、すなわち、第２のターゲットアンテナユニットと受信器との接続関係が一切ない。このようにして、本実施の形態のアンテナシステムでは、受信器と送信器とは互いから完全に分離され、これにより、受信器と送信器との分離を強め、アンテナシステムの相互変調指標を効果的に改善する。
【００２２】
本実施の形態で用いられているアンテナシステムについては、受信器の数量と送信器の数量との関係は限定されず、すなわち、受信器の数量と送信器の数量とが同じである必要がなく、したがって、本実施の形態のアンテナシステムが異なる適用状況に適用されることが可能であり、また、アンテナシステム中の各アンテナユニットはただ１つの受信器または送信器に接続されるだけで済み、このことは、１つのアンテナユニットが送信器と受信器との両方に接続される必要がある先行技術の場合とは異なる。アンテナユニットの構成が本実施の形態においては簡略化されることが可能であり、これにより、アンテナユニットの製造の歩留り率を効果的に上昇させ、アンテナの消耗品、サイズおよび重量を減らし、ユーザによる設置および使用を容易にすることができることが分かる。
【００２３】
本発明の実施の形態の第１の態様に関して、本発明の実施の形態の第１の態様の第１の実現例では、複数の第１のターゲットアンテナユニットはアンテナアレイにおいて隣接配置され、
複数の第２のターゲットアンテナユニットはアンテナアレイにおいて隣接配置される。
【００２４】
本実施の形態で用いられているアンテナ構成については、複数の第１のターゲットアンテナユニットがアンテナアレイにおいて隣接配置され、複数の第２のターゲットアンテナユニットがアンテナアレイにおいて隣接配置されるので、ユーザは第１のターゲットアンテナユニットを受信器セット中のどの受信器にも接続し、異なる第１のターゲットアンテナユニットが異なる受信器に接続され、ユーザは第２のターゲットアンテナユニットを送信器セット中のどの送信器にも接続し、異なる第２のターゲットアンテナユニットが異なる送信器に接続される。これにより、アンテナ設置効率を改善する。これに加えて、本実施の形態のアンテナシステムでは、受信器と送信器とは互いから完全に分離され、これにより、受信器と送信器との分離を強め、アンテナシステムの相互変調指標を効果的に改善する。
【００２５】
本発明の実施の形態の第１の態様に関して、本発明の実施の形態の第１の態様の第２の実現例では、
第１のターゲットアンテナユニットセットが複数の第１のターゲットアンテナユニットを含む場合、アンテナアレイにおいて複数の第１のターゲットアンテナユニットのうちの、どの隣接する２つの第１のターゲットアンテナユニットの間にも少なくとも１つの第２のターゲットアンテナユニットが配置される。
【００２６】
本実施の形態では、どの隣接する２つの第１のターゲットアンテナユニットの間にも１つ以上の第２のターゲットアンテナユニットが配置される。２つの第１のターゲットアンテナユニットの間に配置される第２のターゲットアンテナユニットの数量は本実施の形態において限定されないことに留意するべきである。
【００２７】
本実施の形態で用いられているアンテナシステムについては、アンテナアレイにおいて、第１のターゲットアンテナユニットと第２のターゲットアンテナユニットとが隣接配置されてもよい。本実施の形態では、アンテナアレイにおける第１のターゲットアンテナユニットおよび第２のターゲットアンテナユニットの位置の説明は任意に選択可能な例であることに留意するべきであり、また、第１のターゲットアンテナユニットが受信器のみに接続され、すなわち、第１のターゲットアンテナユニットと送信器との接続関係が一切なく、第２のターゲットアンテナユニットが送信器のみに接続され、第２のターゲットアンテナユニットと受信器との接続関係が一切ないことを除いて限定は一切課されないことに留意するべきである。
【００２８】
本実施の形態で用いられているアンテナシステムについては、受信器の数量と送信器の数量との関係は限定されず、すなわち、受信器の数量と送信器の数量とが同じである必要がなく、したがって、本実施の形態のアンテナシステムが異なる適用状況に適用されることが可能であり、また、アンテナシステム中の各アンテナユニットはただ１つの受信器または送信器に接続されるだけで済み、このことは、１つのアンテナユニットが送信器と受信器との両方に接続される必要がある先行技術の場合とは異なる。アンテナユニットの構成が本実施の形態においては簡略化されることが可能であり、これにより、アンテナユニットの製造の歩留り率を効果的に上昇させ、アンテナの消耗品、サイズおよび重量を減らし、ユーザによる設置および使用を容易にすることができることが分かる。
【００２９】
本発明の実施の形態の第１の態様から本発明の実施の形態の第１の態様の第２の実現例のいずれか１つに係るアンテナシステムに関して、本発明の実施の形態の第１の態様の第３の実現例では、
アンテナシステムは少なくとも２つのターゲットデバイスセットをさらに含み、少なくとも２つのターゲットデバイスセットのいずれか１つが受信器および送信器を含み、
特に、アンテナアレイは第３のアンテナユニットセットであって、第３のアンテナユニットセットは少なくとも１つの第３のターゲットアンテナユニットを含み、少なくとも１つの第３のターゲットアンテナユニットのいずれか１つが第１のアンテナ要素および第２のアンテナ要素を含む、第３のアンテナユニットセットをさらに含み、
さらに特に、第１のアンテナ要素は少なくとも２つのターゲットデバイスセットのうちの１つに含まれる受信器と送信器との両方に接続され、第２のアンテナ要素は少なくとも２つのターゲットデバイスセットのうちの別の１つに含まれる受信器と送信器との両方に接続される。
【００３０】
本実施の形態で用いられているアンテナシステムについては、本実施の形態のアンテナアレイは第１のアンテナユニットセット、第２のアンテナユニットセットおよび第３のアンテナユニットセットを含み、第１のアンテナユニットセットに含まれる第１のターゲットアンテナユニットは受信器のみに接続され、第２のアンテナユニットセットに含まれる第２のターゲットアンテナユニットは送信器のみに接続され、本実施の形態で提供される第３のアンテナユニットセットに含まれる第３のターゲットアンテナユニットは受信器と送信器との両方に接続されることが分かる。本実施の形態で用いられているアンテナシステムについては、送信器および受信器のいくつかが互いから分離されることが可能であることが分かり、すなわち、第１のアンテナユニットセットに接続される受信器と第２のアンテナユニットセットに接続される送信器とが互いから効果的に分離されることが可能であり、これにより、受信器と送信器との分離を強め、アンテナシステムの相互変調指標を効果的に改善する。
【００３１】
本実施の形態で用いられているアンテナシステムについて、受信器の数量と送信器の数量との関係は限定されず、すなわち、受信器の数量と送信器の数量とが同じである必要はなく、したがって、本実施の形態のアンテナシステムが異なる適用状況に適用されることが可能である。これに加えて、アンテナユニットの構成が本実施の形態においては簡略化されることが可能であり、これにより、アンテナユニットの製造の歩留り率を効果的に上昇させ、アンテナの消耗品、サイズおよび重量を減らし、ユーザによる設置および使用を容易にすることができる。
【００３２】
本発明の実施の形態の第１の態様の第３の実現例に関して、本発明の実施の形態の第１の態様の第４の実現例では、
第３のアンテナユニットセットはアンテナアレイにおいて第１のアンテナユニットセットと第２のアンテナユニットセットとの間に配置される。
【００３３】
本実施の形態で用いられているアンテナシステムについては、送信器および受信器のいくつかが互いから分離されることが可能であり、すなわち、第１のアンテナユニットセットに接続される受信器と第２のアンテナユニットセットに接続される送信器とが互いから効果的に分離されることが可能であり、これにより、受信器と送信器との分離を強め、アンテナシステムの相互変調指標を効果的に改善する。
【００３４】
本実施の形態で用いられているアンテナシステムについて、受信器の数量と送信器の数量との関係は限定されず、すなわち、受信器の数量と送信器の数量とが同じである必要はなく、したがって、本実施の形態のアンテナシステムが異なる適用状況に適用されることが可能である。これに加えて、アンテナユニットの構成が本実施の形態においては簡略化されることが可能であり、これにより、アンテナユニットの製造の歩留り率を効果的に上昇させ、アンテナの消耗品、サイズおよび重量を減らし、ユーザによる設置および使用を容易にすることができる。
【００３５】
本発明の実施の形態の第１の態様に関して、本発明の実施の形態の第１の態様の第５の実現例では、
アンテナアレイは第４のアンテナユニットセットをさらに含み、第４のアンテナユニットセットは少なくとも１つの第４のターゲットアンテナユニット含み、少なくとも１つの第４のターゲットアンテナユニットのいずれか１つが第１のアンテナ要素および第２のアンテナ要素を含み、
第１のアンテナ要素は受信器セット中のどの受信器にも接続され、第２のアンテナ要素は送信器セット中のどの送信器にも接続される。
【００３６】
本実施の形態では、アンテナユニットがさらに分割されることが可能であることで、第４のターゲットアンテナユニットは第１のアンテナ要素および第２のアンテナ要素を含み、第１のアンテナ要素に接続されるデバイスが第２のアンテナ要素に接続されるデバイスとは異なり、すなわち、第１のアンテナ要素は受信器のみに接続され、第２のアンテナ要素は送信器のみに接続される。この配置では、受信器と送信器とが異なる偏波に対応することが可能である。本実施の形態で用いられているアンテナシステムについては、第１のアンテナ要素に接続される複数の受信器、および第２のアンテナ要素に接続される複数の送信器中の受信器および送信器が第４のターゲットアンテナユニットの異なる偏波に対応するので、本実施の形態のアンテナシステムがアンテナユニットの偏波モードに基づいて柔軟に構成されることが可能であることが分かる。このようにして、受信器と送信器との分離が強められ、アンテナシステムの相互変調指標が大幅に改善されることが可能である。
【００３７】
本実施の形態で用いられているアンテナシステムについて、受信器の数量と送信器の数量との関係は限定されず、すなわち、受信器の数量と送信器の数量とが同じである必要はなく、したがって、本実施の形態のアンテナシステムが異なる適用状況に適用されることが可能である。これに加えて、アンテナユニットの構成が本実施の形態においては簡略化されることが可能であり、これにより、アンテナユニットの製造の歩留り率を効果的に上昇させ、アンテナの消耗品、サイズおよび重量を減らし、ユーザによる設置および使用を容易にすることができる。
【００３８】
本発明の実施の形態の第１の態様の第５の実現例に関して、本発明の実施の形態の第１の態様の第６の実現例では、
第１のアンテナ要素と第２のアンテナ要素とは異なる偏波に対応する。
【００３９】
本発明の実施の形態の第１の態様の第５の実現例または本発明の実施の形態の第１の態様の第６の実現例に係るアンテナシステムに関して、本発明の実施の形態の第１の態様の第７の実現例では、
第１のアンテナ要素は＋４５度で偏波し、第２のアンテナ要素は−４５度で偏波する。
【００４０】
本実施の形態で用いられているアンテナシステムについては、第１のアンテナ要素に接続されるデバイスは第２のアンテナ要素に接続されるデバイスとは異なり、すなわち、第１のアンテナ要素は受信器のみに接続され、第２のアンテナ要素は送信器のみに接続される。この配置では、受信器と送信器とが異なる偏波に対応することが可能である。本実施の形態で用いられているアンテナシステムについては、第４のターゲットアンテナユニットに接続される複数の受信器、および第２のアンテナ要素に接続される複数の送信器中の受信器および送信器が第４のターゲットアンテナユニットの異なる偏波に対応するので、本実施の形態のアンテナシステムがアンテナユニットの偏波モードに基づいて柔軟に構成されることが可能であることが分かる。このようにして、受信器と送信器との分離が強められ、アンテナシステムの相互変調指標が大幅に改善されることが可能である。受信器の数量と送信器の数量との関係は限定されず、すなわち、受信器の数量と送信器の数量とが同じである必要はなく、したがって、本実施の形態のアンテナシステムが異なる適用状況に適用されることが可能である。これに加えて、アンテナユニットの構成が本実施の形態においては簡略化されることが可能であり、これにより、アンテナユニットの製造の歩留り率を効果的に上昇させ、アンテナの消耗品、サイズおよび重量を減らし、ユーザによる設置および使用を容易にすることができる。
【００４１】
本発明の実施の形態の第１の態様の第５の実現例から本発明の実施の形態の第１の態様の第７の実現例のいずれか１つに係るアンテナシステムに関して、本発明の実施の形態の第１の態様の第８の実現例では、
第４のアンテナユニットセットが複数の第４のターゲットアンテナユニットを含む場合、複数の第４のターゲットアンテナユニットはアンテナアレイにおいて隣接配置される。
【００４２】
本実施の形態で用いられているアンテナ構成については、複数の第４のターゲットアンテナユニットがアンテナアレイにおいて隣接配置されるので、アンテナ設置効率が改善される。これに加えて、本実施の形態のアンテナシステムでは、受信器と送信器とは互いから完全に分離され、これにより、受信器と送信器との分離を強め、アンテナシステムの相互変調指標を効果的に改善する。
【００４３】
本発明の実施の形態の第１の態様の第５の実現例から本発明の実施の形態の第１の態様の第７の実現例のいずれか１つに係るアンテナシステムに関して、本発明の実施の形態の第１の態様の第９の実現例では、
第４のアンテナユニットセットが複数の第４のターゲットアンテナユニットを含む場合、アンテナアレイにおいて複数の第４のターゲットアンテナユニットのうちの、どの隣接する２つの第４のターゲットアンテナユニットの間にも少なくとも１つのターゲットアンテナユニットが配置され、ターゲットアンテナユニットは第１のターゲットアンテナユニットおよび／または第２のターゲットアンテナユニットである。
【００４４】
本発明の実施の形態の第２の態様は、複数の受信器と、複数の送信器と、アンテナアレイとを含み、アンテナアレイは少なくとも１つのアンテナユニットを含み、少なくとも１つのアンテナユニットのいずれか１つが第１のアンテナ要素および第２のアンテナ要素を含み、
第１のアンテナ要素は複数の受信器のいずれか１つに接続され、第２のアンテナ要素は複数の送信器のいずれか１つに接続される、アンテナシステムを提供する。
【００４５】
本実施の形態では、アンテナユニットがさらに分割されることが可能であることで、アンテナユニットは第１のアンテナ要素および第２のアンテナ要素を含み、第１のアンテナ要素に接続されるデバイスが第２のアンテナ要素に接続されるデバイスとは異なり、すなわち、第１のアンテナ要素は受信器のみに接続され、第２のアンテナ要素は送信器のみに接続される。この配置では、受信器と送信器とが異なる偏波に対応することが可能である。本実施の形態で用いられているアンテナシステムについては、アンテナユニットに接続される複数の受信器、および第２のアンテナ要素に接続される複数の送信器中の受信器および送信器がアンテナユニットの異なる偏波に対応するので、本実施の形態のアンテナシステムがアンテナユニットの偏波モードに基づいて柔軟に構成されることが可能であることが分かる。このようにして、受信器と送信器との分離が強められ、アンテナシステムの相互変調指標が大幅に改善されることが可能である。
【００４６】
さらに、本実施の形態で用いられているアンテナシステムについて、受信器の数量と送信器の数量との関係は限定されず、すなわち、受信器の数量と送信器の数量とが同じである必要はなく、したがって、本実施の形態のアンテナシステムが異なる適用状況に適用されることが可能である。これに加えて、アンテナユニットの構成が本実施の形態においては簡略化されることが可能であり、これにより、アンテナユニットの製造の歩留り率を効果的に上昇させ、アンテナの消耗品、サイズおよび重量を減らし、ユーザによる設置および使用を容易にすることができる。
【００４７】
本発明の実施の形態の第２の態様に関して、本発明の実施の形態の第２の態様の第１の実現例では、第１のアンテナ要素と第２のアンテナ要素とは異なる偏波に対応する。
【００４８】
本実施の形態で用いられているアンテナシステムについては、第１のアンテナ要素と第２のアンテナ要素とが異なる偏波に対応するので、本実施の形態のアンテナシステムはアンテナユニットの偏波モードに基づいて柔軟に構成されることが可能である。このようにして、受信器と送信器との分離が強められ、アンテナシステムの相互変調指標が大幅に改善されることが可能である。
【００４９】
本発明の実施の形態の第２の態様または本発明の実施の形態の第２の態様の第１の実現例に関して、本発明の実施の形態の第２の態様の第２の実現例では、第１のアンテナ要素は＋４５度で偏波し、第２のアンテナ要素は−４５度で偏波する。
【００５０】
本実施の形態で用いられているアンテナシステムについて、受信器の数量と送信器の数量との関係は限定されず、すなわち、受信器の数量と送信器の数量とが同じである必要はなく、したがって、本実施の形態のアンテナシステムが異なる適用状況に適用されることが可能である。
【００５１】
実施の形態で用いられているアンテナシステムについては、受信器の数量と送信器の数量との関係は限定されず、すなわち、受信器の数量と送信器の数量とが同じである必要がなく、したがって、実施の形態のアンテナシステムが異なる適用状況に適用されることが可能であり、また、アンテナシステム中の各アンテナユニットはただ１つの受信器または送信器に接続されるだけで済み、このことは、１つのアンテナユニットが送信器と受信器との両方に接続される必要がある先行技術の場合とは異なることが前述の技術的解決手段から分かる。アンテナユニットの構成が実施の形態においては簡略化されることが可能であり、これにより、アンテナユニットの製造の歩留り率を効果的に上昇させ、アンテナの消耗品、サイズおよび重量を減らし、ユーザによる設置および使用を容易にすることができることが分かる。
【図面の簡単な説明】
【００５２】
【図１】先行技術で設けられるアンテナシステムの概略構成図である。
【図２】本発明の実施の形態に係るアンテナシステムの概略構成図である。
【図３】本発明の実施の形態に係るアンテナシステムの概略構成図である。
【図４】本発明の実施の形態に係る送信器の概略構成図である。
【図５】本発明の実施の形態に係る受信器の概略構成図である。
【図６】本発明の実施の形態に係るアンテナシステムの概略構成図である。
【図７】本発明の別の実施の形態に係るアンテナシステムの概略構成図である。
【図８】本発明の別の実施の形態に係るアンテナシステムの概略構成図である。
【図９】本発明の別の実施の形態に係るアンテナシステムの概略構成図である。
【図１０】本発明の別の実施の形態に係るアンテナシステムの概略構成図である。
【発明を実施するための形態】
【００５３】
本発明は、受信器と送信器との分離が効果的に強められることが可能であるアンテナシステムを提供する。以下は物理的デバイスの視点から実施の形態で提供されるアンテナシステムの構成を最初に詳細に説明している。
【００５４】
実施の形態のアンテナシステムは２つの構成を有してもよい。
【００５５】
アンテナシステムの一構成が図２に示されている。図２は本発明の実施の形態に係るアンテナシステムの概略構成図である。
【００５６】
図２に示されているアンテナシステムはパッシブアンテナ構成になっており、アンテナシステムはＲＲＵ（英語による完全名称：Ｒａｄｉｏ  Ｒｅｍｏｔｅ  Ｕｎｉｔ）２００を含む。送信器および受信器はＲＲＵ  ２００に配置され、ＲＲＵ  ２００はケーブル２０２を通じてアンテナアレイ２０１に接続されている。
【００５７】
本実施の形態のアンテナアレイ２０１は複数のアンテナユニットを含む。
【００５８】
特に、図２に示されているアンテナシステムは以下の方式で通常は適用され、すなわち、この方式では、ＲＲＵ  ２００が信号塔の下に配置され、アンテナアレイ２０１が信号塔の上に配置され、ＲＲＵ  ２００がケーブル２０２を通じてアンテナアレイ２０１に接続される。別の方式では、ＲＲＵ  ２００は塔の上に配置され、ＲＲＵ  ２００がアンテナアレイ２０１のごく近くにある。たとえば、ＲＲＵ  ２００はアンテナアレイ２０１の下や後に配置され、ＲＲＵ  ２００はケーブル２０２を通じてアンテナアレイ２０１に接続される。
【００５９】
アンテナシステムの構成を構成する別の方式については、図３を参照する。図３は本発明の実施の形態に係るアンテナシステムの概略構成図である。
【００６０】
図３に示されているアンテナシステムはアクティブアンテナ構成になっている。図３に示されている構成では、送信器３０１、受信器３０２およびアンテナアレイ３０３が集積的に配置されており、すなわち、送信器３０１、受信器３０２およびアンテナアレイ３０３はともに集積されてアクティブアンテナを構成する。
【００６１】
以下は図４を参照して物理的デバイスの視点から送信器の特定の構成を説明している。図４は本発明の実施の形態に係る送信器の概略構成図である。
【００６２】
本実施の形態の送信器の特定の構成の説明は任意に選択可能な例であることに留意するべきである。限定は一切課されない。
【００６３】
本実施の形態の送信器４０１は、アップリンクデータを送信するように構成されている。特に、送信器４０１に含まれている変調器がベースバンド信号を変調して搬送波に載せ、変調されたバンドパス信号を必要な動作周波数バンドにアップコンバータを用いてシフトし、シフトされたバンドパス信号をパワーアンプを用いて増幅し、増幅された信号をフィルタリングした後、フィルタリングされた信号を送る。
【００６４】
以下は図５を参照して物理的デバイスの視点から受信器の特定の構成を説明している。図５は本発明の実施の形態に係る受信器の概略構成図である。
【００６５】
本実施の形態の受信器の特定の構成の説明は任意に選択可能な例であることに留意するべきである。限定は一切課されない。
【００６６】
本実施の形態の受信器５０１では、受信器５０１のＲＦ部分は送信器のＲＦ部分の反対側にあり、説明すると、バンドパスフィルタが複数の無線波信号から、求められている信号を選択し、ローノイズアンプ（ＬＮＡ）が、選択された求められている信号を増幅し、ダウンコンバータがＲＦ信号をＩＦ信号に変換し、復調器が復調を行なって周波数バンド信号をベースバンド信号に変換する。
【００６７】
アンテナシステムの物理的構成の前述の説明に基づいて、添付の図面を参照して、以下は、受信器と送信器との分離が強められることが可能であり、アンテナアレイの相互変調指標が改善されることが可能である、実施の形態で提供されるアンテナシステムの特定の構成を説明している。
【００６８】
図６は本発明の実施の形態に係るアンテナシステムの概略構成図である。
【００６９】
本実施の形態のアンテナシステムは受信器セット６０１を含み、受信器セット６０１は複数の受信器を含む。受信器セット６０１に含まれる受信器の数量は本実施の形態において限定されない。受信器の特定の構成の説明については、前述の実施の形態を参照する。詳細は本実施の形態では繰り返されない。
【００７０】
アンテナシステムは送信器セット６０２をさらに含み、送信器セット６０２は複数の送信器を含む。送信器セット６０２に含まれる送信器の数量は本実施の形態において限定されない。送信器の特定の構成の説明については、前述の実施の形態を参照する。詳細は本実施の形態では繰り返されない。
【００７１】
アンテナシステムはアンテナアレイ６０３をさらに含む。
【００７２】
特に、本実施の形態のアンテナアレイ６０３は第１のアンテナユニットセット６０４および第２のアンテナユニットセット６０５を含む。
【００７３】
特に、第１のアンテナユニットセット６０４は少なくとも１つの第１のターゲットアンテナユニット６０６を含み、第２のアンテナユニットセット６０５は少なくとも１つの第２のターゲットアンテナユニット６０７を含む。
【００７４】
第１のアンテナユニットセット６０４に含まれる第１のターゲットアンテナユニット６０６の特定の数量は本実施の形態において限定されない。図６に示されているように、第１のターゲットアンテナユニット６０６が２つある例が本実施の形態の説明に用いられている。
【００７５】
本実施の形態では、図６に示されているように、複数の第１のターゲットアンテナユニット６０６がアンテナアレイ６０３中で隣接配置されている。
【００７６】
第２のアンテナユニットセット６０５に含まれる第２のターゲットアンテナユニット６０７の特定の数量は本実施の形態において限定されない。図６に示されているように、第２のターゲットアンテナユニット６０７が４つある例が本実施の形態の説明に用いられている。
【００７７】
本実施の形態では、図６に示されているように、複数の第２のターゲットアンテナユニット６０７がアンテナアレイ６０３に隣接配置されている。
【００７８】
第１のターゲットアンテナユニット６０６と第２のターゲットアンテナユニット６０７とは異なるアンテナユニットである。
【００７９】
本実施の形態では、第１のターゲットアンテナユニット６０６は送信器セット６０２中のどの受信器６０８にも接続され、異なる第１のターゲットアンテナユニット６０６は異なる受信器６０８に接続される。
【００８０】
特に、本実施の形態の第１のターゲットアンテナユニット６０６は送受切り換え器６０９を用いて受信器６０８に接続される。
【００８１】
本実施の形態では、第２のターゲットアンテナユニット６０７は送信器セット６０２中のどの送信器６１０にも接続され、異なる第２のターゲットアンテナユニット６０７は異なる送信器６１０に接続される。
【００８２】
特に、本実施の形態の第２のターゲットアンテナユニット６０７は送受切り換え器６０９を用いて送信器６１０に接続される。
【００８３】
特に、本実施の形態の各アンテナユニットは２つのアンテナ要素、すなわち、第１のアンテナ要素および第２のアンテナ要素を含む。本図に示されているように、第１のアンテナ要素が第２のアンテナ要素に直交する例が本実施の形態の説明に用いられているが、限定は一切課されない。特定の適用例では、単一の偏波アンテナや、別の形態の要素を含む構成がこれの代わりに用いられてもよい。
【００８４】
本実施の形態のアンテナシステムの使用の有効な効果は以下の通りである。
【００８５】
本実施の形態のアンテナシステムでは、アンテナアレイが分割されることが可能であることで、分割を通じて得られる第１のアンテナユニットセットおよび第２のアンテナユニットセットは、互いから分離されるアンテナユニットである。はっきり述べれば、第１のアンテナユニットセットに含まれる第１のターゲットアンテナユニットは受信器のみに接続され、すなわち、第１のターゲットアンテナユニットと送信器との接続関係が一切なく、第２のアンテナユニットセットに含まれる第２のターゲットアンテナユニットは送信器のみに接続され、すなわち、第２のターゲットアンテナユニットと受信器との接続関係が一切ない。このようにして、本実施の形態のアンテナシステムでは、受信器と送信器とは互いから完全に分離され、これにより、受信器と送信器との分離を強め、アンテナシステムの相互変調指標を効果的に改善する。
【００８６】
本実施の形態で用いられているアンテナシステムについては、受信器の数量と送信器の数量との関係は限定されず、すなわち、受信器の数量と送信器の数量とが同じである必要がなく、したがって、本実施の形態のアンテナシステムが異なる適用状況に適用されることが可能であり、また、アンテナシステム中の各アンテナユニットはただ１つの受信器または送信器に接続されるだけで済み、このことは、１つのアンテナユニットが送信器と受信器との両方に接続される必要がある先行技術の場合とは異なる。アンテナユニットの構成が本実施の形態においては簡略化されることが可能であり、これにより、アンテナユニットの製造の歩留り率を効果的に上昇させ、アンテナの消耗品、サイズおよび重量を減らし、ユーザによる設置および使用を容易にすることができることが分かる。
【００８７】
実施の形態のアンテナシステムの別の構成については、図７を参照する。図７は本発明の別の実施の形態に係るアンテナシステムの概略構成図である。
【００８８】
図７に示されている実施の形態では、受信器セットおよび送信器セットの特定の説明については、前述の実施の形態を参照する。詳細は本実施の形態では繰り返されない。
【００８９】
本実施の形態の第１のターゲットアンテナユニット７０１の特定の説明と、第１のターゲットアンテナユニット７０１の接続関係の特定の説明とについては、図６に示されている実施の形態の第１のターゲットアンテナユニット６０６の特定の説明を参照する。詳細は本実施の形態では繰り返されない。本実施の形態の第２のターゲットアンテナユニット７０２の特定の説明と、第２のターゲットアンテナユニット７０２の接続関係の特定の説明とについては、図６に示されている実施の形態の第２のターゲットアンテナユニット６０７の特定の説明を参照する。詳細は本実施の形態では繰り返されない。
【００９０】
第１のターゲットアンテナユニット７０１が２つのあり、第２のターゲットアンテナユニット７０２が５つある例が本実施の形態の説明に用いられている。本実施の形態の第１のターゲットアンテナユニット７０１および第２のターゲットアンテナユニット７０２の数量の説明は任意に選択可能な例であることに留意するべきである。限定は一切課されない。
【００９１】
特に、本実施の形態では、たとえば、第１のターゲットアンテナユニットセットが複数の第１のターゲットアンテナユニット７０１を含む場合、アンテナアレイにおいて複数の第１のターゲットアンテナユニット７０１のうちの、どの隣接する２つの第１のターゲットアンテナユニットの間にも少なくとも１つの第２のターゲットアンテナユニット７０２が配置される。
【００９２】
本実施の形態では、どの隣接する２つの第１のターゲットアンテナユニット７０１の間にも１つ以上の第２のターゲットアンテナユニット７０２が配置されている。たとえば、図７に示されているように、１つの第２のターゲットアンテナユニット７０２が２つの第１のターゲットアンテナユニット７０１の間に配置されている。２つの第１のターゲットアンテナユニット７０１の間に配置される第２のターゲットアンテナユニット７０２の数量は本実施の形態において限定されないことに留意するべきである。
【００９３】
本実施の形態で用いられているアンテナシステムについては、アンテナアレイにおいて、第１のターゲットアンテナユニット７０１と第２のターゲットアンテナユニット７０２とが隣接配置されてもよい。本実施の形態では、アンテナアレイにおける第１のターゲットアンテナユニット７０１および第２のターゲットアンテナユニット７０２の位置の説明は任意に選択可能な例であることに留意するべきであり、また、第１のターゲットアンテナユニット７０１が受信器７０３のみに接続され、第１のターゲットアンテナユニット７０１と送信器７０４との接続関係が一切なく、第２のターゲットアンテナユニット７０２が送信器７０４のみに接続され、第２のターゲットアンテナユニット７０２と受信器７０３との接続関係が一切ないことを除いて限定は一切課されないことに留意するべきである。
【００９４】
図７に示されているアンテナシステムによってもたらされる有効な効果については、図６に示されている実施の形態を参照する。詳細は本実施の形態では繰り返されない。
【００９５】
実施の形態のアンテナシステムの別の構成については、図８を参照する。図８は本発明の別の実施の形態に係るアンテナシステムの概略構成図である。
【００９６】
図８に示されている実施の形態では、受信器セット８０１の特定の説明については、図６に示されている受信器セット６０１の特定の説明を参照する。詳細は本実施の形態では繰り返されない。
【００９７】
本実施の形態の送信器セット８０２の特定の説明については、図６に示されている送信器セット６０２の特定の説明を参照する。詳細は本実施の形態では繰り返されない。
【００９８】
本実施の形態の第１のアンテナユニットセット８０３の特定の説明については、図６に示されている第１のアンテナユニットセット６０４の特定の説明を参照する。詳細は本実施の形態では繰り返されない。
【００９９】
本実施の形態の第２のアンテナユニットセット８０４の特定の説明については、図６に示されている第２のアンテナユニットセット６０５の特定の説明を参照する。詳細は本実施の形態では繰り返されない。
【０１００】
図６に示されているアンテナシステムと比較して、本実施の形態のアンテナシステムは少なくとも２つのターゲットデバイスセットをさらに含む。ターゲットデバイスセットの特定の数量は本実施の形態において限定されない。図８に示されているように、ターゲットデバイスセットが２つある例が説明に用いられている。はっきり述べれば、本実施の形態のアンテナシステムはターゲットデバイスセット８０５１およびターゲットデバイスセット８０５２を含む。
【０１０１】
本実施の形態のターゲットデバイスセット８０５１とターゲットデバイスセット８０５２とは同じ構成になっている。ターゲットデバイスセット８０５１は例として用いられている。ターゲットデバイスセット８０５１は受信器８０６および送信器８０７を含む。受信器８０６および送信器８０７の特定の構成の説明については、前述の実施の形態を参照する。詳細は本実施の形態では繰り返されない。
【０１０２】
本実施の形態のアンテナアレイは第３のアンテナユニットセット８０８をさらに含む。
【０１０３】
本実施の形態の第３のアンテナユニットセット８０８は少なくとも１つの第３のターゲットアンテナユニット８０９を含む。特に、第３のアンテナユニットセット８０８に含まれる第３のターゲットアンテナユニット８０９の特定の数量は本実施の形態において限定されない。図８に示されているように、本実施の形態の第３のアンテナユニットセット８０８が１つの第３のターゲットアンテナユニット８０９を含む例が説明に用いられている。
【０１０４】
特に、本実施の形態の第３のターゲットアンテナユニット８０９は第１のアンテナ要素８１０および第２のアンテナ要素８１１を含む。
【０１０５】
特に、第１のアンテナ要素８１０は、ターゲットデバイスセット８０５１に含まれる受信器８０６と送信器８０７との両方に接続され、
第２のアンテナ要素８１１は、ターゲットデバイスセット８０５２に含まれる受信器８０６と送信器８０７との両方に接続される。
【０１０６】
第３のアンテナユニットセット８０８の特定の位置は本実施の形態において限定されない。随意に、本実施の形態の第３のアンテナユニットセット８０８はアンテナアレイにおいて第１のアンテナユニットセット８０３と第２のアンテナユニットセット８０４との間に配置されてもよい。
【０１０７】
本実施の形態で用いられているアンテナシステムについては、本実施の形態のアンテナアレイは第１のアンテナユニットセット、第２のアンテナユニットセットおよび第３のアンテナユニットセットを含み、第１のアンテナユニットセットに含まれる第１のターゲットアンテナユニットは受信器のみに接続され、第２のアンテナユニットセットに含まれる第２のターゲットアンテナユニットは送信器のみに接続され、本実施の形態で提供される第３のアンテナユニットセットに含まれる第３のターゲットアンテナユニットは受信器と送信器との両方に接続され、第３のアンテナユニットセットは第１のアンテナユニットセットと第２のアンテナユニットセットとの間に配置されることが分かる。本実施の形態で用いられているアンテナシステムについては、送信器および受信器のいくつかが互いから分離されることが可能であることが分かり、すなわち、第１のアンテナユニットセットに接続される受信器と第２のアンテナユニットセットに接続される送信器とが互いから効果的に分離されることが可能であり、これにより、受信器と送信器との分離を強め、アンテナシステムの相互変調指標を効果的に改善する。
【０１０８】
本実施の形態で用いられているアンテナシステムについて、受信器の数量と送信器の数量との関係は限定されず、すなわち、受信器の数量と送信器の数量とが同じである必要はなく、したがって、本実施の形態のアンテナシステムが異なる適用状況に適用されることが可能である。これに加えて、アンテナユニットの構成が本実施の形態においては簡略化されることが可能であり、これにより、アンテナユニットの製造の歩留り率を効果的に上昇させ、アンテナの消耗品、サイズおよび重量を減らし、ユーザによる設置および使用を容易にすることができる。
【０１０９】
実施の形態のアンテナシステムの別の構成については、図９を参照する。図９は本発明の別の実施の形態に係るアンテナシステムの概略構成図である。
【０１１０】
図９に示されている実施の形態では、受信器セット９０１の特定の説明については、図６に示されている受信器セット６０１の特定の説明を参照する。詳細は本実施の形態では繰り返されない。
【０１１１】
本実施の形態の送信器セット９０２の特定の説明については、図６に示されている送信器セット６０２の特定の説明を参照する。詳細は本実施の形態では繰り返されない。
【０１１２】
本実施の形態の第１のアンテナユニットセット９０３の特定の説明については、図６に示されている第１のアンテナユニットセット６０４の特定の説明を参照する。詳細は本実施の形態では繰り返されない。
【０１１３】
本実施の形態の第２のアンテナユニットセット９０４の特定の説明については、図６に示されている第２のアンテナユニットセット６０５の特定の説明を参照する。詳細は本実施の形態では繰り返されない。
【０１１４】
図９に示されているように、本実施の形態のアンテナアレイは第４のアンテナユニットセット９０５をさらに含み、第４のアンテナユニットセット９０５は少なくとも１つの第４のターゲットアンテナユニットを含む。
【０１１５】
第４のアンテナユニットセット９０５に含まれる第４のターゲットアンテナユニットの特定の数量は本実施の形態において限定されないことに留意するべきである。図９に示されているように、本実施の形態の第４のアンテナユニットセット９０５が２つの第４のターゲットアンテナユニット９０６を含む例が説明に用いられている。
【０１１６】
特に、本実施の形態の各第４のターゲットアンテナユニット９０６は第１のアンテナ要素９０７および第２のアンテナ要素９０８を含む。
【０１１７】
特に、第１のアンテナ要素９０７は受信器セット９０１中の１つの受信器に接続され、異なる第１のアンテナ要素９０７は受信器セット９０１中の異なる受信器に接続され、
第２のアンテナ要素９０８は送信器セット９０２中の１つの送信器に接続され、異なる第２のアンテナ要素９０８は送信器セット９０２中の異なる送信器に接続される。
【０１１８】
本実施の形態の第１のアンテナ要素９０７と第２のアンテナ要素９０８とが異なる偏波に対応することに留意するべきである。
【０１１９】
第１のアンテナ要素９０７と第２のアンテナ要素９０８とが異なる偏波に対応することを除いて、第１のアンテナ要素９０７および第２のアンテナ要素９０８に対応する偏波は本実施の形態において限定されない。第１のアンテナ要素９０７が＋４５度で偏波し、第２のアンテナ要素９０８が−４５度で偏波する例が本実施の形態の説明に用いられている。
【０１２０】
随意に、本実施の形態では、たとえば、図９に示されているように第４のアンテナユニットセット９０５が複数の第４のターゲットアンテナユニット９０６を含む場合、複数の第４のターゲットアンテナユニット９０６はアンテナアレイにおいて隣接配置されてもよい。
【０１２１】
さらに随意に、別の実施の形態では、アンテナアレイにおいて複数の第４のターゲットアンテナユニット９０６のうちの、どの隣接する２つの第４のターゲットアンテナユニット９０６の間にも少なくとも１つのターゲットアンテナユニットが配置されてもよく、このターゲットアンテナユニットは第１のターゲットアンテナユニットおよび／または第２のターゲットアンテナユニットである。
【０１２２】
本実施の形態の第１のターゲットアンテナユニットおよび第２のターゲットアンテナユニットによってもたらされる有効な効果については、前述の実施の形態を参照する。詳細は本実施の形態では繰り返されない。以下は本実施の形態の第４のターゲットアンテナユニット９０６によってもたらされる有効な効果を説明している。
【０１２３】
本実施の形態では、アンテナユニットがさらに分割されることが可能であることで、第４のターゲットアンテナユニット９０６は第１のアンテナ要素９０７および第２のアンテナ要素９０８を含み、第１のアンテナ要素９０７に接続されるデバイスが第２のアンテナ要素９０８に接続されるデバイスとは異なり、すなわち、第１のアンテナ要素９０７は受信器のみに接続され、第２のアンテナ要素９０８は送信器のみに接続される。この配置では、受信器と送信器とが異なる偏波に対応することが可能である。本実施の形態で用いられているアンテナシステムについては、第１のアンテナ要素９０７に接続される複数の受信器、および第２のアンテナ要素９０８に接続される複数の送信器中の受信器および送信器が第４のターゲットアンテナユニット９０６の異なる偏波に対応するので、本実施の形態のアンテナシステムがアンテナユニットの偏波モードに基づいて柔軟に構成されることが可能であることが分かる。このようにして、受信器と送信器との分離が強められ、アンテナシステムの相互変調指標が大幅に改善されることが可能である。
【０１２４】
本実施の形態で用いられているアンテナシステムについて、受信器の数量と送信器の数量との関係は限定されず、すなわち、受信器の数量と送信器の数量とが同じである必要はなく、したがって、本実施の形態のアンテナシステムが異なる適用状況に適用されることが可能である。これに加えて、アンテナユニットの構成が本実施の形態においては簡略化されることが可能であり、これにより、アンテナユニットの製造の歩留り率を効果的に上昇させ、アンテナの消耗品、サイズおよび重量を減らし、ユーザによる設置および使用を容易にすることができる。
【０１２５】
実施の形態のアンテナシステムの別の構成については、図１０を参照する。図１０は本発明の別の実施の形態に係るアンテナシステムの概略構成図である。
【０１２６】
図１０に示されているように、本実施の形態のアンテナシステムは、複数の受信器１００１、複数の送信器１００２およびアンテナアレイ１００３を含む。
【０１２７】
本実施の形態のアンテナアレイ１００３は少なくとも１つのアンテナユニット１００４を含む。
【０１２８】
アンテナアレイ１００３に含まれるアンテナユニット１００４の特定の数量は本実施の形態において限定されない。図１０に示されているように、アンテナアレイ１００３が４つのアンテナユニット１００４を含む例が本実施の形態の説明に用いられている。
【０１２９】
アンテナユニット１００４は第１のアンテナ要素１００５および第２のアンテナ要素１００６を含む。
【０１３０】
特に、第１のアンテナ要素１００５は受信器１００１に接続され、異なる第１のアンテナ要素１００５は異なる受信器１００１に接続され、
第２のアンテナ要素１００６は送信器１００２に接続され、異なる第２のアンテナ要素１００６は異なる送信器１００２に接続される。
【０１３１】
本実施の形態の第１のアンテナ要素１００５と第２のアンテナ要素１００６とが異なる偏波に対応することに留意するべきである。
【０１３２】
第１のアンテナ要素１００５と第２のアンテナ要素１００６とが異なる偏波に対応することを除いて、第１のアンテナ要素１００５および第２のアンテナ要素１００６に対応する偏波は本実施の形態において限定されない。第１のアンテナ要素１００５は＋４５度で偏波し、第２のアンテナ要素１００６は−４５度で偏波する例が本実施の形態の説明に用いられている。
【０１３３】
本実施の形態では、アンテナユニットがさらに分割されることが可能であることで、アンテナユニットは第１のアンテナ要素および第２のアンテナ要素を含み、第１のアンテナ要素に接続されるデバイスが第２のアンテナ要素に接続されるデバイスとは異なり、すなわち、第１のアンテナ要素は受信器のみに接続され、第２のアンテナ要素は送信器のみに接続される。この配置では、受信器と送信器とが異なる偏波に対応することが可能である。本実施の形態で用いられているアンテナシステムについては、アンテナユニットに接続される複数の受信器、および第２のアンテナ要素に接続される複数の送信器中の受信器および送信器がアンテナユニットの異なる偏波に対応するので、本実施の形態のアンテナシステムがアンテナユニットの偏波モードに基づいて柔軟に構成されることが可能であることが分かる。このようにして、受信器と送信器との分離が強められ、アンテナシステムの相互変調指標が大幅に改善されることが可能である。
【０１３４】
さらに、本実施の形態で用いられているアンテナシステムについて、受信器の数量と送信器の数量との関係は限定されず、すなわち、受信器の数量と送信器の数量とが同じである必要はなく、したがって、本実施の形態のアンテナシステムが異なる適用状況に適用されることが可能である。これに加えて、アンテナユニットの構成が本実施の形態においては簡略化されることが可能であり、これにより、アンテナユニットの製造の歩留り率を効果的に上昇させ、アンテナの消耗品、サイズおよび重量を減らし、ユーザによる設置および使用を容易にすることができる。
【０１３５】
前述の実施の形態が本発明の技術的解決手段を説明することが意図されているだけで、本発明を限定しないことが意図されている。本発明が前述の実施の形態に関して詳細に説明されているが、それでもなお、本発明の実施の形態の技術的解決手段の精神および範囲から逸脱することなく、当業者が前述の実施の形態で説明されている技術的解決手段に修正を行ない得たり、そのいくつかの技術的特徴に対して均等置換を行ない得たりすると当業者は当然解する。
【符号の説明】
【０１３６】
１００  アンテナアレイ
１０１  アンテナユニット
１０２  送受切り換え器
１０３  受信器
１０４  送信器
２００  ＲＲＵ
２０１  アンテナアレイ
２０２  ケーブル
３０１  送信器
３０２  受信器
３０３  アンテナアレイ
４０１  送信器
５０１  受信器
６０１  受信器セット
６０２  送信器セット
６０３  アンテナアレイ
６０４  第１のアンテナユニットセット
６０５  第２のアンテナユニットセット
６０６  第１のターゲットアンテナユニット
６０７  第２のターゲットアンテナユニット
６０８  受信器
６０９  送受切り換え器
６１０  送信器
７０１  第１のターゲットアンテナユニット
７０２  第２のターゲットアンテナユニット
７０３  受信器
７０４  送信器
８０１  受信器セット
８０２  送信器セット
８０３  第１のアンテナユニットセット
８０４  第２のアンテナユニットセット
８０６  受信器
８０７  送信器
８０８  第３のアンテナユニットセット
８０９  第３のターゲットアンテナユニット
８１０  第１のアンテナ要素
８１１  第２のアンテナ要素
９０１  受信器セット
９０２  送信器セット
９０３  第１のアンテナユニットセット
９０４  第２のアンテナユニットセット
９０５  第４のアンテナユニットセット
９０６  第４のターゲットアンテナユニット
９０７  第１のアンテナ要素
９０８  第２のアンテナ要素
１００１  受信器
１００２  送信器
１００３  アンテナアレイ
１００４  アンテナユニット
１００５  第１のアンテナ要素
１００６  第２のアンテナ要素
８０５１  ターゲットデバイスセット
８０５２  ターゲットデバイスセット
【図１】
2020503779.tif 000003
【図２】
2020503779.tif 000004
【図３】
2020503779.tif 000005
【図４】
2020503779.tif 000006
【図５】
2020503779.tif 000007
【図６】
2020503779.tif 000008
【図７】
2020503779.tif 000009
【図８】
2020503779.tif 000010
【図９】
2020503779.tif 000011
【図１０】
2020503779.tif 000012
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
受信器セットと、送信器セットと、アンテナアレイとを備えるアンテナシステムであって、前記受信器セットは複数の受信器を備えており、前記送信器セットは複数の送信器を備えており、
前記アンテナアレイは第１のアンテナユニットセットおよび第２のアンテナユニットセットを備えており、前記第１のアンテナユニットセットは少なくとも１つの第１のターゲットアンテナユニットを備えており、前記第２のアンテナユニットセットは少なくとも１つの第２のターゲットアンテナユニットを備えており、前記少なくとも１つの第１のターゲットアンテナユニットのいずれか１つと前記少なくとも１つの第２のターゲットアンテナユニットのいずれか１つとは異なるアンテナユニットであり、前記少なくとも１つの第１のターゲットアンテナユニットのいずれか１つが前記受信器セット中のどの受信器にも接続され、前記少なくとも１つの第２のターゲットアンテナユニットのいずれか１つが前記送信器セット中のどの送信器にも接続される、アンテナシステム。
【請求項２】
前記第１のアンテナユニットセットが複数の第１のターゲットアンテナユニットを備える場合、前記複数の第１のターゲットアンテナユニットは前記アンテナアレイにおいて隣接配置され、
前記第２のアンテナユニットセットが複数の第２のターゲットアンテナユニットを備える場合、前記複数の第２のターゲットアンテナユニットは前記アンテナアレイにおいて隣接配置される、請求項１に記載のアンテナシステム。
【請求項３】
前記第１のアンテナユニットセットが複数の第１のターゲットアンテナユニットを備える場合、前記アンテナアレイにおいて前記複数の第１のターゲットアンテナユニットのうちの、どの隣接する２つの第１のターゲットアンテナユニットの間にも少なくとも１つの第２のターゲットアンテナユニットが配置される、請求項１に記載のアンテナシステム。
【請求項４】
前記アンテナシステムは少なくとも２つのターゲットデバイスセットをさらに備えており、前記少なくとも２つのターゲットデバイスセットのいずれか１つが受信器および送信器を備えており、
前記アンテナアレイは第３のアンテナユニットセットであって、前記第３のアンテナユニットセットは少なくとも１つの第３のターゲットアンテナユニットを備えており、前記少なくとも１つの第３のターゲットアンテナユニットのいずれか１つが第１のアンテナ要素および第２のアンテナ要素を備えている、第３のアンテナユニットセットをさらに備えており、
前記第１のアンテナ要素は前記少なくとも２つのターゲットデバイスセットのうちの１つに備えられる受信器と送信器との両方に接続され、前記第２のアンテナ要素は前記少なくとも２つのターゲットデバイスセットのうちの別の１つに備えられる受信器と送信器との両方に接続される、請求項１から３のいずれか一項に記載のアンテナシステム。
【請求項５】
前記第３のアンテナユニットセットは前記アンテナアレイにおいて前記第１のアンテナユニットセットと前記第２のアンテナユニットセットとの間に配置される、請求項４に記載のアンテナシステム。
【請求項６】
前記アンテナアレイは第４のアンテナユニットセットをさらに備えており、前記第４のアンテナユニットセットは少なくとも１つの第４のターゲットアンテナユニット備えており、前記少なくとも１つの第４のターゲットアンテナユニットのいずれか１つが第１のアンテナ要素および第２のアンテナ要素を備えており、
前記第１のアンテナ要素は前記受信器セット中のどの受信器にも接続され、前記第２のアンテナ要素は前記送信器セット中のどの送信器にも接続される、請求項１に記載のアンテナシステム。
【請求項７】
前記第１のアンテナ要素と前記第２のアンテナ要素とは異なる偏波に対応する、請求項６に記載のアンテナシステム。
【請求項８】
前記第１のアンテナ要素は＋４５度で偏波し、前記第２のアンテナ要素は−４５度で偏波する、請求項６または７に記載のアンテナシステム。
【請求項９】
前記第４のアンテナユニットセットが複数の第４のターゲットアンテナユニットを備える場合、前記複数の第４のターゲットアンテナユニットは前記アンテナアレイにおいて隣接配置される、請求項６から８のいずれか一項に記載のアンテナシステム。
【請求項１０】
前記第４のアンテナユニットセットが複数の第４のターゲットアンテナユニットを備える場合、前記アンテナアレイにおいて前記複数の第４のターゲットアンテナユニットのうちの、どの隣接する２つの第４のターゲットアンテナユニットの間にも少なくとも１つのターゲットアンテナユニットが配置され、前記ターゲットアンテナユニットは前記第１のターゲットアンテナユニットおよび／または前記第２のターゲットアンテナユニットである、請求項６から８のいずれか一項に記載のアンテナシステム。
【請求項１１】
複数の受信器と、複数の送信器と、アンテナアレイとを備えるアンテナシステムであって、前記アンテナアレイは少なくとも１つのアンテナユニットを備えており、前記少なくとも１つのアンテナユニットのいずれか１つが第１のアンテナ要素および第２のアンテナ要素を備えており、
前記第１のアンテナ要素は前記複数の受信器のいずれか１つに接続され、前記第２のアンテナ要素は前記複数の送信器のいずれか１つに接続される、アンテナシステム。
【請求項１２】
前記第１のアンテナ要素と前記第２のアンテナ要素とは異なる偏波に対応する、請求項１１に記載のアンテナシステム。
【請求項１３】
前記第１のアンテナ要素は＋４５度で偏波し、前記第２のアンテナ要素は−４５度で偏波する、請求項１１または１２に記載のアンテナシステム。
【国際調査報告】
2020503779.tif 000013
2020503779.tif 000014
2020503779.tif 000015
2020503779.tif 000016
2020503779.tif 000017